(57)【要約】【課題】外周に枠部材が設けられた搬送物を搬送して、吸着ステージに好適に受け渡すこと。【解決手段】搬送ハンド１は、枠部材１１の片面の一部を吸着する吸着部２と、吸着部２とは異なる位置に配置され、搬送物１０を吸着ステージ２０に受け渡すときに、枠部材１１の上記片面に当接することにより、枠部材１１を吸着ステージ２０に押し付ける押し付け部３と、を備えている。【選択図】図４
2014154607.tif 000002
【特許請求の範囲】
【請求項１】
外周に枠部材を備えている搬送物を搬送して、搬送物を吸着する吸着ステージに受け渡す搬送ハンドであって、
枠部材の片面の一部を吸着する吸着部と、
吸着部とは異なる位置に配置され、搬送物を吸着ステージに受け渡すときに、枠部材の上記片面に当接することにより、枠部材を吸着ステージに押し付ける押し付け部と、を備えていることを特徴とする搬送ハンド。
【請求項２】
上記吸着部および上記押し付け部は、搬送ハンドにおける枠部材に対向する面から突出して設けられていることを特徴とする請求項１に記載の搬送ハンド。
【請求項３】
複数の押し付け部を備えており、
各押し付け部の突出している先端面が面一であることを特徴とする請求項２に記載の搬送ハンド。
【請求項４】
複数の押し付け部を備えており、
搬送時における搬送物の中心から見たときに、隣り合う二つの押し付け部を見込む角度が、１８度以上、１８０度以下の範囲となるように当該押し付け部が設けられていることを特徴とする請求項１〜３の何れか一項に記載の搬送ハンド。
【請求項５】
搬送対象である上記搬送物は、基板および支持膜をさらに備えており、
支持膜の内周に基板が貼付されており、
支持膜の外周に枠部材が貼付されていることを特徴とする請求項１〜４の何れか一項に記載の搬送ハンド。
【請求項６】
請求項１〜５の何れか一項に記載の搬送ハンドを備えていることを特徴とする搬送装置。
【請求項７】
搬送ハンドが、外周に枠部材を備えている搬送物を、搬送物を吸着する吸着ステージまで搬送する搬送工程と、
搬送工程の後、搬送ハンドが、搬送物を吸着ステージに受け渡す受け渡し工程と、を包含しており、
搬送ハンドは、枠部材の片面の一部を吸着する吸着部、および吸着部とは異なる位置に配置された押し付け部を備えており、
受け渡し工程では、押し付け部が、枠部材の上記片面に当接して、枠部材を吸着ステージに押し付けることを特徴とする搬送方法。
【発明の詳細な説明】
【技術分野】
【０００１】
本発明は、搬送ハンド、搬送装置および搬送方法に関するものである。
【背景技術】
【０００２】
特許文献１には、その外周にダイシングフレームを有する積層体を搬送する搬送ハンドが記載されている。当該搬送ハンドは、積層体のダイシングフレームを吸着することにより積層体を保持する。そのため当該搬送ハンドにおいて、積層体と対向する面には、搬送ハンドをダイシングフレームの上方に配置したとき、搬送ハンドとダイシングフレームとの重なる位置に、吸着機構が設けられている。
【先行技術文献】
【特許文献】
【０００３】
【特許文献１】特開２００９−１４０９７１号公報（２００９年６月２５日公開）
【発明の概要】
【発明が解決しようとする課題】
【０００４】
しかし、特許文献１に記載の技術を用いて、上記積層体を搬送し、当該積層体を吸着する吸着ステージに受け渡すときに、ダイシングフレームが歪んでいるか若しくは反っていると、吸着ステージと積層体との間にリークが発生し、吸着ステージが当該積層体を良好に吸着し得ないことがある。そのため、外周に枠部材が設けられた搬送物を搬送して吸着ステージに受け渡すときに、当該枠部材が歪んでいるか若しくは反っているとしても、当該搬送物を吸着ステージに好適に受け渡すことができる搬送技術が求められている。
【０００５】
本発明は、上記課題に鑑みてなされたものであり、外周に枠部材が設けられた搬送物を搬送して、吸着ステージに好適に受け渡すための搬送技術を提供することを主たる目的とする。
【課題を解決するための手段】
【０００６】
本発明に係る搬送ハンドは、外周に枠部材を備えている搬送物を搬送して、搬送物を吸着する吸着ステージに受け渡す搬送ハンドであって、枠部材の片面の一部を吸着する吸着部と、吸着部とは異なる位置に配置され、搬送物を吸着ステージに受け渡すときに、枠部材の上記片面に当接することにより、枠部材を吸着ステージに押し付ける押し付け部と、を備えていることを特徴としている。
【０００７】
本発明に係る搬送方法は、搬送ハンドが、外周に枠部材を備えている搬送物を、搬送物を吸着する吸着ステージまで搬送する搬送工程と、搬送工程の後、搬送ハンドが、搬送物を吸着ステージに受け渡す受け渡し工程と、を包含しており、搬送ハンドは、枠部材の片面の一部を吸着する吸着部、および吸着部とは異なる位置に配置された押し付け部を備えており、受け渡し工程では、押し付け部が、枠部材の上記片面に当接して、枠部材を吸着ステージに押し付けることを特徴としている。
【発明の効果】
【０００８】
本発明によれば、外周に枠部材が設けられた搬送物を搬送して吸着ステージに受け渡すときに、押し付け部が吸着ステージに枠部材を押し付けて、枠部材の歪みまたは反りを補正することができる。そのため、上記搬送物は吸着ステージに良好に吸着される。すなわち、本発明によれば、上記搬送物を搬送して、好適に吸着ステージに受け渡すことができる。
【図面の簡単な説明】
【０００９】
【図１】本発明の一実施形態に係る搬送ハンドの動作を説明する側面図であり、（ａ）は、搬送ハンドが搬送物を搬送しているとき、（ｂ）は、搬送ハンドが搬送物を吸着ステージの上方まで搬送したとき、（ｃ）は、搬送ハンドが搬送物を吸着ステージに受け渡すときの様子をそれぞれ示す。
【図２】本発明の一実施形態に係る搬送ハンドが搬送物を搬送しているときの様子を示す上面図である。
【図３】本発明の一実施形態に係る搬送ハンドが搬送物を搬送しているときの様子を示す下面図である。
【図４】本発明の一実施形態に係る搬送ハンドが搬送物を吸着ステージに受け渡すときの様子を示す上面図である。
【発明を実施するための形態】
【００１０】
本発明に係る搬送ハンドは、外周に枠部材を備えている搬送物を搬送して、搬送物を吸着する吸着ステージに受け渡す搬送ハンドであって、枠部材の片面の一部を吸着する吸着部と、吸着部とは異なる位置に配置され、搬送物を吸着ステージに受け渡すときに、枠部材の上記片面に当接することにより、枠部材を吸着ステージに押し付ける押し付け部と、を備えている構成である。
【００１１】
また、本発明に係る搬送装置は、上記搬送ハンドを備える構成である。
【００１２】
さらに、本発明に係る搬送方法は、搬送ハンドが、外周に枠部材を備えている搬送物を、搬送物を吸着する吸着ステージまで搬送する搬送工程と、搬送工程の後、搬送ハンドが、搬送物を吸着ステージに受け渡す受け渡し工程と、を包含しており、搬送ハンドは、枠部材の片面の一部を吸着する吸着部、および吸着部とは異なる位置に配置された押し付け部を備えており、受け渡し工程では、押し付け部が、枠部材の上記片面に当接して、枠部材を吸着ステージに押し付ける構成である。
【００１３】
〔搬送物〕
先ず、本発明に係る搬送ハンドによって保持されて搬送される搬送物について、以下に説明する。
【００１４】
本発明において保持されて搬送される対象となる搬送物は、例えば、図２に示すような、その外周に枠部材（ダイシングフレーム）１１が貼付された支持膜（ダイシングテープ）１２の内周に基板１３が貼付された搬送物１０である。
【００１５】
基板１３は、例えば、半導体ウェハであるが、これに限定されず、例えば、セラミックス基板、フィルム基板、フレキシブル基板等の任意の基板であってもよい。ダイシングテープは、基板を保持するものである。支持膜１２は、少なくとも基板に接する部分のみが粘着性を有していればよい。支持膜１２としては、例えば、ベースフィルムがＰＶＣ（ポリ塩化ビニル）やポリオレフィン、ポリプロピレン等の樹脂フィルムを用いることができる。枠部材１１は、支持膜１２の弛みを防止するものであり、金属、樹脂等により形成され得る。
【００１６】
尚、本発明において保持されて搬送される対象となる搬送物は、これに限定されず、外周に枠部材を備えているものであればよい。
【００１７】
また、本発明において保持されて搬送される対象となる搬送物は、任意の場所から、当該搬送物を吸着する吸着ステージまで搬送され、吸着ステージ上において所望の処理がなされる。吸着ステージは、例えば、公知のポーラス吸着ステージであればよく、搬送物を真空吸着するものであれば、特に限定されない。
【００１８】
〔搬送ハンド〕
次に、本発明に係る搬送ハンドについて、図１〜４を参照しながら以下に説明する。
【００１９】
図１は、本発明の一実施形態に係る搬送ハンド１の動作を説明する側面図であり、（ａ）は、搬送ハンド１が搬送物１０を搬送しているとき、（ｂ）は、搬送ハンド１が搬送物１０を吸着ステージ２０の上方まで搬送したとき、（ｃ）は、搬送ハンド１が搬送物１０を吸着ステージ２０に受け渡すときの様子をそれぞれ示す。
【００２０】
図１に示すように、搬送ハンド１は、搬送物１０を保持して、吸着ステージ２０の上方まで搬送し（図１（ａ）〜（ｂ）、搬送工程）、その後、搬送ハンド１が吸着ステージ２０に向けて下降するとともに、搬送物１０の保持を解除することにより、搬送物１０を吸着ステージ２０に受け渡す（図１（ｃ）、受け渡し工程）ようになっている。
【００２１】
なお、本実施形態では、搬送ハンド１が、搬送物１０の上側を保持して搬送し、搬送物１０を上方から吸着ステージ２０に受け渡す場合について説明するが、本発明はこれに限定されず、搬送ハンドは、搬送物の任意の面を保持して搬送してもよく、また、搬送物を、任意の方向から吸着ステージに受け渡してもよい。
【００２２】
図２は、図１（ａ）において示した、搬送ハンド１が搬送物１０を搬送しているときの様子を示す上面図であり、図３は、搬送ハンド１が搬送物１０を搬送しているときの様子を、搬送物１０から搬送ハンド１を見上げた下面図であり、図４は、図１（ｃ）において示した、搬送ハンド１が搬送物１０を吸着ステージ２０に受け渡すときの様子を示す上面図である。
【００２３】
図１〜４に示すように、本発明の一実施形態に係る搬送ハンド１は、搬送物１０の枠部材１１の一部を真空吸着して保持する吸着部２と、吸着部２とは異なる位置に配置された押し付け部３と、を備えている。
【００２４】
搬送ハンド１は、搬送物１０を保持するために必要な強度を有していればよく、より軽量であることが望ましい。以上の観点から、搬送ハンド１は、剛性を有するアルミニウム、ステンレス、セラミックス等で形成されていることが好ましく、セラミックスで形成されていることがより好ましい。搬送ハンド１は、例えば、概略の外観が厚さの薄い板状に形成され得るが、特にこの形状に限定されない。また、軽量化のために、適宜肉抜き加工されていることが好ましい。搬送ハンド１の末端側、即ち、吸着部２を備えていない側は、当該搬送ハンド１を駆動する駆動部（図示しない）に連結されるようになっている。尚、搬送ハンド１の外観の形状は、搬送物１０を保持して搬送することに支障の無い形状であればよい。
【００２５】
（吸着部）
吸着部２は、枠部材１１の片面の一部を真空吸着することができるようになっていればよく、特に構造は限定されないが、例えば、搬送ハンド１における枠部材１１に対向する面から突出して設けられており、枠部材１１と搬送ハンド１との間の気体（空気）を吸引する排気口を有している。図３に示すように、当該排気口は、搬送ハンド１の内部に末端側に向かって形成された排気管４を通じて排気装置（図示しない）に接続されており、排気口から吸引された気体は、排気装置を介して外部に排気される。従って、吸着部２は、搬送物１０を保持するときには排気口から気体を排気して搬送物１０を真空吸着し、搬送物１０の保持を解除するときには排気口からの気体の排気を停止するようになっている。尚、排気口の開口の形状は、円形であることが好ましいものの、特に限定されない。吸着部２の材質は特に限定されないが、ゴム、樹脂等の柔軟性を有する材質、または、アルミニウム、ステンレス、セラミックス等の剛性を有する材質であり得る。
【００２６】
本発明における「吸着」とは、搬送物１０を安定して保持して搬送することができる程度の強さで当該搬送物１０を吸着している状態を指す。従って、本発明における「吸着」で必要とされる吸着力は、搬送物１０が損傷しない程度の力であり、８０ｋＰａ以上が好適であり、９５ｋＰａ程度が最適である。また、上記吸着力に達するまでの時間は、搬送の効率性を考慮して、排気装置による吸引開始から６秒以内が好ましく、２秒以内がより好ましく、１秒以内が特に好ましい。吸着部２の排気口の面積（吸着部２を複数備える場合は合計の面積）や排気装置の能力は、搬送物１０に加わる吸着力や搬送の効率性等を考慮して、適宜設定すればよい。尚、枠部材１１が歪んでいるか若しくは反っている場合、リークを避けるために、吸着部２の各々の排気口の面積は小さいことが好ましい。
【００２７】
搬送ハンド１が備える吸着部２の個数は、少なくとも一つあればよいが、搬送物１０を安定して保持することができるように、少なくとも三つあることがより好ましく、例えば、図２〜４に示すように、吸着部２を四つ備えていてもよい。吸着部２の配置位置は特に限定されず、搬送物１０を安定して保持することができるように配置されていればよい。
【００２８】
（押し付け部）
押し付け部３は、搬送物１０を吸着ステージ２０に受け渡すときに、枠部材１１における吸着部２が吸着する面に当接することにより、枠部材１１を吸着ステージ２０に押し付けることができるようになっていればよく、特に構造は限定されないが、例えば、搬送ハンド１における枠部材１１に対向する面の吸着部２とは異なる位置から突出して設けられている。押し付け部３が、搬送ハンド１の上記面から突出していることにより、吸着部２が当該面から突出している場合であっても、首尾よく枠部材１１における吸着部２が吸着する面に当接することができる。そして、図１（ｃ）および図４に示すように、搬送物１０を吸着ステージ２０に受け渡すときに、押し付け部３が、枠部材１１における吸着部２が吸着する面に当接することにより、枠部材１１を吸着ステージ２０に押し付け、枠部材１１の歪みまたは反りを補正することができる。これにより、吸着ステージ２０と搬送物１０との間にリークが発生することを防ぎ、枠部材１１が歪んでいるか若しくは反っているとしても、吸着ステージ２０が搬送物１０を首尾よく吸着することができる。押し付け部３の形状としては、特に限定されないが、例えば、円柱、多角柱、半球、円錐、多角錐等の形状であり得る。また、吸着部２の材質は特に限定されないが、ＳＵＳ、樹脂等の材質であり得る。
【００２９】
搬送ハンド１が備える押し付け部３の個数は、少なくとも一つあればよいが、搬送物１０を吸着ステージ２０に受け渡すときに、枠部材１１を均等に吸着ステージ２０に押し付けるために、複数存在していることがより好ましく、４個以上存在していることがさらに好ましく、８個以上存在していることが特に好ましい。このとき、各押し付け部３の突出している先端面を面一とすることにより、より均等に、枠部材１１を吸着ステージ２０に押し付けることができる。
【００３０】
また、押し付け部３の配置位置は特に限定されないが、搬送物１０を吸着ステージ２０に受け渡すときに、枠部材１１を均等に吸着ステージ２０に押し付けるために、枠部材１１において当接される位置の間隔が所定の範囲内であることが好ましい。具体的には、これに限定されないが、図４に示すように、搬送時における搬送物１０の中心Ｏから見たときに、隣り合う二つの押し付け部３を見込む角度θが、１８度以上、１８０度以下の範囲となることがより好ましく、４５度程度であることが特に好ましい。
【００３１】
なお、押し付け部３は、バネ等の付勢部材によって枠部材１１に向かう方向に付勢されていてもよい。これにより、搬送物１０を吸着ステージ２０に受け渡すときに、枠部材１１を好適に吸着ステージ２０に押し付けることができる。このとき、各押し付け部３の付勢力を一定とすることにより、より均等に、枠部材１１を吸着ステージ２０に押し付けることができる。
【００３２】
〔搬送装置、搬送方法〕
本発明に係る搬送装置は、本発明に係る搬送ハンドを備えている。搬送装置は、また、当該搬送ハンドを駆動する駆動部を備え得る。具体的には、搬送装置においては、上記搬送ハンドの末端側、即ち、吸着部を備えていない側が上記駆動部に連結されており、当該駆動部による駆動によって、搬送ハンドが、保持した搬送物を或る工程から次の工程を行うための吸着ステージに搬送するようになっている。駆動部の具体的な構成は、特に限定されるものではなく、例えば、半導体装置の製造工程において必要な搬送に用いられている公知の駆動装置を適宜採用することができる。搬送装置は、例えば、半導体装置の製造工程における各工程間での搬送物を搬送するために用いられ、特に、熱処理工程後の、ダイシングフレーム（枠部材）が貼付されたダイシングテープ（支持膜）に貼付された基板を搬送するために好適に用いられる。従って、搬送装置の動作、即ち、駆動部の駆動による搬送ハンドの保持動作や搬送動作は、例えば、半導体装置の製造工程全体を制御する制御部によって制御されている。
【００３３】
また、本発明に係る搬送方法は、搬送ハンドが、外周に枠部材を備えている搬送物を、搬送物を吸着する吸着ステージまで搬送する搬送工程と、搬送工程の後、搬送ハンドが、搬送物を吸着ステージに受け渡す受け渡し工程と、を包含しており、搬送ハンドは、枠部材の片面の一部を吸着する吸着部、および吸着部とは異なる位置に配置された押し付け部を備えており、受け渡し工程では、押し付け部が、枠部材の上記片面に当接して、枠部材を吸着ステージに押し付ける。上記搬送方法は、半導体装置の製造工程等における各工程間での搬送物の搬送に採用され、特に、熱処理工程後の搬送物の搬送に好適に採用される。
【００３４】
以上のように、本発明に係る搬送ハンド、搬送装置および搬送方法によれば、外周に枠部材が設けられた搬送物を搬送して吸着ステージに受け渡すときに、押し付け部が吸着ステージに枠部材を押し付けて、枠部材の歪みまたは反りを補正することができる。そのため、上記搬送物は吸着ステージに良好に吸着される。すなわち、本発明によれば、上記搬送物を搬送して、好適に吸着ステージに受け渡すことができる。
【００３５】
本発明は上述した実施形態に限定されるものではなく、請求項に示した範囲で種々の変更が可能であり、それぞれ開示された技術的手段を適宜組み合わせて得られる実施形態についても本発明の技術的範囲に含まれる。また、本明細書中に記載された文献の全てが参考として援用される。
【産業上の利用可能性】
【００３６】
本発明に係る搬送ハンド、搬送装置および搬送方法は、例えば、微細化された半導体装置の製造工程において広範に利用することができる。
【符号の説明】
【００３７】
１    搬送ハンド
２    吸着部
３    押し付け部
４    排気管
１０    搬送物
１１    枠部材
１２    支持膜
１３    基板
２０    吸着ステージ
【図１】
2014154607.tif 000003
【図２】
2014154607.tif 000004
【図３】
2014154607.tif 000005
【図４】
2014154607.tif 000006